(57)【要約】【課題】データ伝送方法、装置及びシステムを開示し、ＭＥＣのアプリケーションシナリオを拡張する。【解決手段】トラフィックデータは、ローカルサービスプラットフォームで終了することができるだけでなく、ローカルサービスプラットフォームによって処理した後、リモートサービスプラットフォームに渡されて処理させることもできる。または、トラフィックデータがリモートサービスプラットフォームによって処理された後、ローカルサービスプラットフォームに渡されて処理させることもできる。
2019509682.tif 000002
【特許請求の範囲】
【請求項１】
モバイル・エッジ・コンピューティングＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定するステップと、
前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理して送信するステップとを備え、
前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示すことを特徴とするデータ伝送方法。
【請求項２】
前記ＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定する場合、
前記ＭＥＣサーバーは、ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定することを特徴とする請求項１に記載のデータ伝送方法。
【請求項３】
前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理して送信する場合、
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信するか、または、
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信することを特徴とする請求項１に記載のデータ伝送方法。
【請求項４】
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する場合、
前記ＭＥＣサーバー前記ローカルサービスサーバーから送信された前記トラフィックデータメッセージのペイロードＰａｙｌｏａｄにおいて、約定したフォーマットに基づいてＵＥのＩＰアドレスを取得した後、前記ＵＥのＩＰアドレスを削除して新しいトラフィックデータメッセージを構成し、
前記ＭＥＣサーバーは、所定のデータ転送情報リストに基づき、前記ローカルサービスサーバーのＩＰアドレス及び前記リモートサービスサーバーのＩＰアドレスと対応するアクセスポイント名ＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信することを特徴とする請求項３に記載のデータ伝送方法。
【請求項５】
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信する場合、
前記ＭＥＣサーバーは、前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会し、
前記ＭＥＣサーバーは、前記ベアラ情報に基づいて前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信することを特徴とする請求項３に記載のデータ伝送方法。
【請求項６】
前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理した後に送信する場合、
前記ローカルサービスサーバーに対応するトラフィックデータメッセージ転送モードがローカルデータ終了モードであれば、前記ＭＥＣサーバーは、前記トラフィックデータメッセージをＵＥに送信する必要があると確定し、
前記ＭＥＣサーバーは、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信することを特徴とする請求項１に記載のデータ伝送方法。
【請求項７】
前記ＭＥＣサーバーシステムアーキテクチャエボリューションゲートウェイ（ＳＡＥ−ＧＷ）から転送されたトラフィックデータメッセージを受信した場合、前記ＭＥＣサーバーは、前記トラフィックデータメッセージからターゲットＩＰアドレスを取得し、
前記ターゲットＩＰアドレスがローカルサービスサーバーのＩＰアドレスであると確定した場合、前記ＭＥＣサーバーは、受信したトラフィックデータメッセージをローカルサービスサーバーに送信し、または、前記ターゲットＩＰアドレスがＵＥのＩＰアドレスであると確定した場合、前記ＭＥＣサーバーは、前記ＵＥのＩＰアドレスに基づき、トラフィックデータメッセージを前記ＵＥに伝送するためのダウンリンクベアラを確定し、前記ダウンリンクベアラにより、前記受信したトラフィックデータメッセージを基地局に送信し、基地局により前記トラフィックデータメッセージを前記ＵＥに送信することを特徴とする請求項１ないし請求項６のいずれか１項に記載のデータ伝送方法。
【請求項８】
ローカルサービスサーバーは、トラフィックデータメッセージをリモートサービスサーバーに送信しようとする場合、前記ローカルサービスサーバーのＩＰアドレスをソースＩＰアドレスとし、かつ、リモートサービスサーバーのＩＰアドレスをターゲットＩＰアドレスとして、トラフィックデータメッセージに含ませ、約定したフォーマットに基づき、前記トラフィックデータメッセージのペイロードＰａｙｌｏａｄにＵＥのＩＰアドレスを追加し、新しいトラフィックデータメッセージを構成するステップと、
前記ローカルサービスサーバーは、前記新しいトラフィックデータメッセージを、モバイル・エッジ・コンピューティングＭＥＣサーバーに送信し、前記ＭＥＣサーバーにより前記ローカルサービスサーバーのＩＰアドレスに基づき、前記ローカルサービスサーバーに対応するトラフィックデータメッセージ転送モードを確定し、前記ローカルサービスサーバーに対応するトラフィックデータメッセージ転送モードに基づき、前記トラフィックデータメッセージ転送モードに対応する処理方式で前記トラフィックデータメッセージを処理した後に送信するステップとを備えることを特徴とするデータ伝送方法。
【請求項９】
前記ローカルサービスサーバーは、ＭＥＣサーバーにより転送された、リモートサービスサーバーから送信されたトラフィックデータメッセージを受信し、
前記ローカルサービスサーバーは、受信したトラフィックデータメッセージを処理した後、送信すべきトラフィックデータメッセージを生成し、前記ローカルサービスサーバーのＩＰアドレスをソースＩＰアドレスとし、また、ＵＥのＩＰアドレスをターゲットＩＰアドレスとして、前記生成したトラフィックデータメッセージに含ませてＭＥＣサーバーに送信し、受信したトラフィックデータメッセージをＭＥＣサーバーによりＵＥに送信することを特徴とする請求項８に記載のデータ伝送方法。
【請求項１０】
ローカルサービスサーバーから送信されたトラフィックデータメッセージを受信した場合、所定のデータ転送情報リストに基づき、前記ローカルサービスサーバーに対応するトラフィックデータメッセージ転送モードを確定する確定ユニットと、
前記ローカルサービスサーバーに対応するトラフィックデータメッセージ転送モードに基づき、前記トラフィックデータメッセージ転送モードに対応する処理方式で前記トラフィックデータメッセージを処理して送信する処理ユニットとを備え、
前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示すことを特徴とするデータ伝送装置。
【請求項１１】
前記確定ユニットは、
ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定することを特徴とする請求項１０に記載のデータ伝送装置。
【請求項１２】
前記処理ユニットは、
前記ローカルサービスサーバーに対応するトラフィックデータメッセージ転送モードがローカルデータ経由モードであり、かつ、前記トラフィックデータメッセージから取得したターゲットＩＰアドレスがリモートサービスサーバーのＩＰアドレスである場合、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信し、または、
前記ローカルサービスサーバーに対応するトラフィックデータメッセージ転送モードがローカルデータ経由モードであり、かつ、前記トラフィックデータメッセージから取得したターゲットＩＰアドレスがＵＥのＩＰアドレスである場合、前記トラフィックデータメッセージを前記ＵＥに伝送するためのダウンリンクベアラを確定し、かつ、前記ダウンリンクベアラにより、前記トラフィックデータメッセージを送信することを特徴とする請求項１０に記載のデータ伝送装置。
【請求項１３】
前記処理ユニットは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する場合、
前記ローカルサービスサーバーから送信された前記トラフィックデータメッセージのペイロードＰａｙｌｏａｄにおいて、約定したフォーマットに基づいてＵＥのＩＰアドレスを取得した後、前記ＵＥのＩＰアドレスを削除して新しいトラフィックデータメッセージを構成し、
所定のデータ転送情報リストに基づき、前記ローカルサービスサーバーのＩＰアドレス及び前記リモートサービスサーバーのＩＰアドレスと対応するアクセスポイント名ＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信することを特徴とする請求項１２に記載のデータ伝送装置。
【請求項１４】
前記処理ユニットは、前記トラフィックデータメッセージを前記ＵＥに伝送するためのダウンリンクベアラを確定し、かつ、前記ダウンリンクベアラにより、前記トラフィックデータメッセージを送信する場合、
前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会し、
前記ベアラ情報に基づき、前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信することを特徴とする請求項１２に記載のデータ伝送装置。
【請求項１５】
前記処理ユニットは、
前記トラフィックデータメッセージ転送モードがローカルデータ終了モードである場合、前記トラフィックデータメッセージをＵＥに送信する必要があると確定し、
前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、前記ダウンリンクベアラにより前記トラフィックデータメッセージを基地局に送信し、基地局により前記トラフィックデータメッセージを前記ＵＥに送信することを特徴とする請求項１０に記載のデータ伝送装置。
【請求項１６】
前記確定ユニットは、システムアーキテクチャエボリューションゲートウェイ（ＳＡＥ−ＧＷ）から転送されたトラフィックデータメッセージを受信した場合、前記ＭＥＣサーバーは、前記トラフィックデータメッセージからターゲットＩＰアドレスを取得し、前記ターゲットＩＰアドレスに対応するネットワークエンティティを確定し、
前記処理ユニットは、前記確定ユニットがＳＡＥ−ＧＷから転送されたトラフィックデータメッセージを受信し、かつ、前記トラフィックデータメッセージ内のターゲットＩＰアドレスに対応するネットワークエンティティがローカルサービスサーバーであると確定した場合、前記確定ユニットが受信したトラフィックデータメッセージをローカルサービスサーバーに送信し、または、前記確定ユニットがＳＡＥ−ＧＷから転送されたトラフィックデータメッセージを受信し、かつ、前記トラフィックデータメッセージ内のターゲットＩＰアドレスに対応するネットワークエンティティがＵＥであると確定した場合、前記ＵＥのＩＰアドレスに基づき、トラフィックデータメッセージを前記ＵＥに伝送するためのダウンリンクベアラを確定し、前記ダウンリンクベアラにより、前記確定ユニットが受信したトラフィックデータメッセージを基地局に送信し、基地局により前記トラフィックデータメッセージを前記ＵＥに送信することを特徴とする請求項１０ないし請求項１５のいずれか１項に記載のデータ伝送装置。
【請求項１７】
トラフィックデータメッセージをリモートサービスサーバーに送信する必要がある場合、本装置のＩＰアドレスをソースＩＰアドレスとし、リモートサービスサーバーのＩＰアドレスをターゲットＩＰアドレスとしてトラフィックデータメッセージに含ませ、約定したフォーマットに基づき、前記トラフィックデータメッセージのペイロードＰａｙｌｏａｄにＵＥのＩＰアドレスを追加し、新しいトラフィックデータメッセージを構成する処理ユニットと、
前記新しいトラフィックデータメッセージをモバイル・エッジ・コンピューティングＭＥＣサーバーに送信し、前記ＭＥＣサーバーにより、前記装置のＩＰアドレスに基づいて前記装置に対応するトラフィックデータメッセージ転送モードを確定し、かつ、前記装置に対応するトラフィックデータメッセージ転送モードに基づき、前記トラフィックデータメッセージ転送モードに対応する処理方式で前記トラフィックデータメッセージを処理した後に送信する送信ユニットとを備えることを特徴とするトラフィックデータ伝送装置。
【請求項１８】
前記処理ユニットは、ＭＥＣサーバーにより転送された、リモートサービスサーバーから送信されたトラフィックデータメッセージを受信し、受信したトラフィックデータメッセージを処理した後、送信すべきトラフィックデータメッセージを生成し、本装置のＩＰアドレスをソースＩＰアドレスとし、ＵＥのＩＰアドレスをターゲットＩＰアドレスとして、前記生成したトラフィックデータメッセージに含ませ、
前記送信ユニットは、前記生成した、本装置のＩＰアドレス及びＵＥのＩＰアドレスを含むトラフィックデータメッセージをＭＥＣサーバーに送信し、受信したトラフィックデータメッセージをＭＥＣサーバーによりＵＥに送信することを特徴とするト請求項１７に記載のラフィックデータ伝送装置。
【請求項１９】
請求項１０ないし請求項１６のいずれか１項に記載の前記装置と、請求項１７または請求項１８に記載の前記的装置を備えることを特徴とするトデータ伝送システム。
【発明の詳細な説明】
【技術分野】
【０００１】
本発明は、通信技術分野に関し、特にデータ伝送方法、装置及びシステムに関する。
【背景技術】
【０００２】
従来のネットワークアーキテクチャにおいて、サービスプラットフォームは、コアネットワークの後ろに配備されている。５Ｇネットワーク概念及びサービス需要の提出とともに、モバイル・エッジ・コンピューティング（Ｍｏｂｉｌｅ Ｅｄｇｅ Ｃｏｍｐｕｔｅ，ＭＥＣ）技術が現れる。ＭＥＣ技術を通して、サービスプラットフォームをモバイルエッジの近くに設置することができる。
【０００３】
サービスプラットフォームの実の設置位置に従って、サービスサーバーをローカルサービスサーバーとリモートサービスサーバーに分ける。ここで、ローカルサービスサーバーは、アクセスネットワーク側（例えば、基地局側）に設置され、リモートサービスサーバーは、コアネットワーク側に設置され、リモートサービスサーバーは、ローカル設置ではないサービスサーバーを指す。サービスサーバーがローカル設置であるため、ＭＥＣサーバーがローカルサービスをシャントすることができ、ＵＥ（Ｕｓｅｒ Ｅｑｕｉｐｍｅｎｔ）は、近傍のローカルサービスにアクセスすることができ、伝送ネットワークとコアネットワークを経由する必要がないため、伝送ネットワークの帯域消費を低減し、サービス遅延を低減し、ユーザのエクスペリエンスを向上させる。
【０００４】
従来のデータ伝送モードは、２つのカテゴリに分類することができる。カテゴリの１つは、リモートサービスに対応するダイレクトモードを指し、ダイレクトモードでは、ユーザープレーンデータは、ローカルサービスサーバーを介さずにＵＥとリモートサービスサーバーの間で伝送される。カテゴリの他の１つは、ローカルサービスに対応するシャントモードを指し、シャントモードでは、ユーザープレーンデータは、リモートサービスサーバーを介さずに、ＵＥとローカルサービスサーバーの間で伝送される。しかしながら、実際のアプリケーションでは、サービスデータをローカルサービスサーバーで処理し、次にリモートサービスサーバーに渡す必要がある他の特定のシナリオ（ビデオバックホールや分析シナリオなど）もあります。しかし特定のシナリオにおける需要は、上記の従来のデータ伝送モードでは満たされない可能性がある。
【０００５】
要約すると、従来のデータ伝送方法は、限られた数のＭＥＣアプリケーションシナリオにのみ適用可能であるが、特定のＭＥＣアプリケーションシナリオ、例えば、ビデオバックホールおよび分析シナリオなどを満たさない場合がある。
【先行技術文献】
【非特許文献】
【０００６】
【非特許文献１】ペタル、Ｍ他、  「モバイル  エッジ  コンピューティング」  モバイル  エッジ  コンピューティング  イントロダクトリー  テクニカル  ホワイトペーパー、２０１４年９月３０日号、１１−１２ページ
【発明の概要】
【発明が解決しようとする課題】
【０００７】
本発明に係る実施例は、データ伝送方法、装置及びシステムを提供して、ＭＥＣアプリケーションシナリオを拡張することにより、トラフィックデータは、ローカルサービスプラットフォームで終了することができるだけでなく、ローカルサービスプラットフォームによって処理した後、リモートサービスプラットフォームに渡されて処理させることもできる。または、トラフィックデータがリモートサービスプラットフォームによって処理された後、ローカルサービスプラットフォームに渡されて処理させることもできる。
【課題を解決するための手段】
【０００８】
ＭＥＣサーバー側において、本発明の実施例に係るデータ伝送方法は、ＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定するステップと、前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理して送信するステップとを備え、前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示す。
【０００９】
本発明の実施例に係る前記方法によれば、ＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定し、さらに、前記ローカルサービスサーバーに対応するトラフィックデータメッセージ転送モードに基づき、前記トラフィックデータメッセージ転送モードに対応する処理方式で前記トラフィックデータメッセージを処理して送信する。こうして、ＭＥＣのアプリケーションシナリオを効果的に拡張する。トラフィックデータは、ローカルサービスプラットフォームで終了することができるだけでなく、リモートサービスサーバーを介さず、トラフィックデータをローカルサービスサーバーで処理するだけでサービス全体を処理することができる。ローカルサービスプラットフォームによって処理した後、リモートサービスプラットフォームに渡されて処理させることもできる。または、トラフィックデータがリモートサービスプラットフォームによって処理された後、ローカルサービスプラットフォームに渡されて処理させて、ＵＥに送信されることもできる。
【００１０】
好ましくは、前記ＭＥＣサーバーが、ローカルサービスサーバーから送信されたトラフィックデータメッセージを受信した場合、所定のデータ転送情報リストに基づき、前記ローカルサービスサーバーに対応するトラフィックデータメッセージ転送モードを確定するのは、前記ＭＥＣサーバーは、ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定する。
【００１１】
好ましくは、前記ＭＥＣサーバーが、前記ローカルサービスサーバーに対応するトラフィックデータメッセージ転送モードに基づき、前記トラフィックデータメッセージ転送モードに対応する処理方式で前記トラフィックデータメッセージを処理して送信するのは、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信し、または、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信する。
【００１２】
こうして、ＵＥから送信されたトラフィックデータが、ローカルサービスサーバーにより処理された後、リモートサービスサーバーにより処理されるようになる。または、現リモートサービスサーバーから送信されたトラフィックデータは、ローカルサービスサーバーにより処理された後、ＵＥに送信するようになる。
【００１３】
好ましくは、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信するのは、前記ＭＥＣサーバーは、前記ローカルサービスサーバーから送信された前記トラフィックデータメッセージのペイロード（Ｐａｙｌｏａｄ）において、約定したフォーマットに基づいてＵＥのＩＰアドレスを取得した後、前記ＵＥのＩＰアドレスを削除して新しいトラフィックデータメッセージを構成し、前記ＭＥＣサーバーは、所定のデータ転送情報リストに基づき、前記ローカルサービスサーバーのＩＰアドレス及び前記リモートサービスサーバーのＩＰアドレスと対応するアクセスポイント名（Ａｃｃｅｓｓ Ｐｏｉｎｔ Ｎａｍｅ，ＡＰＮ）情報を取得し、前記ＡＰＮの下で前記ＵＥに対応するアップリンクベアラを確定し、前記アップリンクベアラにより、前記新しいトラフィックデータメッセージを、システムアーキテクチャエボリューションゲートウェイ（Ｓｙｓｔｅｍ Ａｒｃｈｉｔｅｃｔｕｒｅ Ｅｖｏｌｕｔｉｏｎ Ｇａｔｅｗａｙ，ＳＡＥ−ＧＷ）に送信し、ＳＡＥ−ＧＷにより、前記新しいトラフィックデータメッセージを、リモートサービスサーバーに送信する。
【００１４】
好ましくは、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信するのは、前記ＭＥＣサーバーは、前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会し、前記ＭＥＣサーバーは、前記ベアラ情報に基づいて前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信する。
【００１５】
好ましくは、前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理した後に送信するのは、前記ローカルサービスサーバーに対応するトラフィックデータメッセージ転送モードがローカルデータ終了モードであれば、前記ＭＥＣサーバーは、前記トラフィックデータメッセージをＵＥに送信する必要があると確定し、前記ＭＥＣサーバーは、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信する。
【００１６】
好ましくは、前記方法は、前記ＭＥＣサーバーがＳＡＥ−ＧＷから転送されたトラフィックデータメッセージを受信した場合、前記ＭＥＣサーバーは、前記トラフィックデータメッセージからターゲットＩＰアドレスを取得するステップと、前記ターゲットＩＰアドレスがローカルサービスサーバーのＩＰアドレスであると確定した場合、前記ＭＥＣサーバーは、受信したトラフィックデータメッセージをローカルサービスサーバーに送信し、または、前記ターゲットＩＰアドレスがＵＥのＩＰアドレスであると確定した場合、前記ＭＥＣサーバーは、前記ＵＥのＩＰアドレスに基づき、トラフィックデータメッセージを前記ＵＥに伝送するためのダウンリンクベアラを確定し、前記ダウンリンクベアラにより、前記受信したトラフィックデータメッセージを基地局に送信し、基地局により前記トラフィックデータメッセージを前記ＵＥに送信するステップとをさらに備える。
【００１７】
ローカルサービスサーバー側において、本発明の実施例に係るデータ伝送方法は、ローカルサービスサーバーは、トラフィックデータメッセージをリモートサービスサーバーに送信しようとする場合、前記ローカルサービスサーバーのＩＰアドレスをソースＩＰアドレスとし、かつ、リモートサービスサーバーのＩＰアドレスをターゲットＩＰアドレスとして、トラフィックデータメッセージに含ませ、約定したフォーマットに従って前記トラフィックデータメッセージのＰａｙｌｏａｄにＵＥのＩＰアドレスを追加し、新しいトラフィックデータメッセージを構成し、前記ローカルサービスサーバーは、前記新しいトラフィックデータメッセージを、モバイル・エッジ・コンピューティングＭＥＣサーバーに送信し、前記ＭＥＣサーバーにより前記ローカルサービスサーバーのＩＰアドレスに基づき、前記ローカルサービスサーバーに対応するトラフィックデータメッセージ転送モードを確定し、前記ローカルサービスサーバーに対応するトラフィックデータメッセージ転送モードに基づき、前記トラフィックデータメッセージ転送モードに対応する処理方式で前記トラフィックデータメッセージを処理した後に送信する。
【００１８】
好ましくは、前記方法は、前記ローカルサービスサーバーは、ＭＥＣサーバーにより転送された、リモートサービスサーバーから送信されたトラフィックデータメッセージを受信し、前記ローカルサービスサーバーは、受信したトラフィックデータメッセージを処理した後、送信すべきトラフィックデータメッセージを生成し、前記ローカルサービスサーバーのＩＰアドレスをソースＩＰアドレスとし、また、ＵＥのＩＰアドレスをターゲットＩＰアドレスとして、前記生成したトラフィックデータメッセージに含ませてＭＥＣサーバーに送信し、受信したトラフィックデータメッセージをＭＥＣサーバーによりＵＥに送信する。
【００１９】
ＭＥＣサーバー側において、本発明の実施例に係るデータ伝送装置は、ローカルサービスサーバーから送信されたトラフィックデータメッセージを受信した場合、所定のデータ転送情報リストに基づき、前記ローカルサービスサーバーに対応するトラフィックデータメッセージ転送モードを確定する確定ユニットと、前記ローカルサービスサーバーに対応するトラフィックデータメッセージ転送モードに基づき、前記トラフィックデータメッセージ転送モードに対応する処理方式で前記トラフィックデータメッセージを処理して送信する処理ユニットとを備える。
【００２０】
前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示す。
【００２１】
好ましくは、前記確定ユニットは、ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定する。
【００２２】
好ましくは、前記処理ユニットは、前記ローカルサービスサーバーに対応するトラフィックデータメッセージ転送モードがローカルデータ経由モードであり、かつ、前記トラフィックデータメッセージから取得したターゲットＩＰアドレスがリモートサービスサーバーのＩＰアドレスである場合、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信し、または、前記ローカルサービスサーバーに対応するトラフィックデータメッセージ転送モードがローカルデータ経由モードであり、かつ、前記トラフィックデータメッセージから取得したターゲットＩＰアドレスがＵＥのＩＰアドレスである場合、前記トラフィックデータメッセージを前記ＵＥに伝送するためのダウンリンクベアラを確定し、かつ、前記ダウンリンクベアラにより、前記トラフィックデータメッセージを送信する。
【００２３】
好ましくは、前記処理ユニットは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信するのは、前記ローカルサービスサーバーから送信された前記トラフィックデータメッセージのＰａｙｌｏａｄにおいて、約定したフォーマットに基づいてＵＥのＩＰアドレスを取得した後、前記ＵＥのＩＰアドレス削除して新しいトラフィックデータメッセージを構成し、所定のデータ転送情報リストに基づき、前記ローカルサービスサーバーのＩＰアドレス及び前記リモートサービスサーバーのＩＰアドレスと対応するＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信する。
【００２４】
好ましくは、前記処理ユニットは、前記トラフィックデータメッセージを前記ＵＥに伝送するためのダウンリンクベアラを確定し、かつ、前記ダウンリンクベアラにより、前記トラフィックデータメッセージを送信する場合、前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会し、前記ベアラ情報に基づき、前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信する。
【００２５】
好ましくは、前記処理ユニットは、前記トラフィックデータメッセージ転送モードがローカルデータ終了モードである場合、前記トラフィックデータメッセージをＵＥに送信する必要があると確定し、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、前記ダウンリンクベアラにより前記トラフィックデータメッセージを基地局に送信し、基地局により前記トラフィックデータメッセージを前記ＵＥに送信する。
【００２６】
好ましくは、前記確定ユニットは、システムアーキテクチャエボリューションゲートウェイ（ＳＡＥ−ＧＷ）から転送されたトラフィックデータメッセージを受信した場合、前記ＭＥＣサーバーは、前記トラフィックデータメッセージからターゲットＩＰアドレスを取得し、前記ターゲットＩＰアドレスに対応するネットワークエンティティを確定し、前記処理ユニットは、前記確定ユニットがＳＡＥ−ＧＷから転送されたトラフィックデータメッセージを受信し、かつ、前記トラフィックデータメッセージ内のターゲットＩＰアドレスに対応するネットワークエンティティがローカルサービスサーバーであると確定した場合、前記確定ユニットが受信したトラフィックデータメッセージをローカルサービスサーバーに送信し、または、前記確定ユニットがＳＡＥ−ＧＷから転送されたトラフィックデータメッセージを受信し、かつ、前記トラフィックデータメッセージ内のターゲットＩＰアドレスに対応するネットワークエンティティがＵＥであると確定した場合、前記ＵＥのＩＰアドレスに基づき、トラフィックデータメッセージを前記ＵＥに伝送するためのダウンリンクベアラを確定し、前記ダウンリンクベアラにより、前記確定ユニットが受信したトラフィックデータメッセージを基地局に送信し、基地局により前記トラフィックデータメッセージを前記ＵＥに送信する。
【００２７】
ローカルサービスサーバー側において、本発明の実施例に係るデータ伝送装置は、トラフィックデータメッセージをリモートサービスサーバーに送信する必要がある場合、本装置のＩＰアドレスをソースＩＰアドレスとし、リモートサービスサーバーのＩＰアドレスをターゲットＩＰアドレスとしてトラフィックデータメッセージに含ませ、約定したフォーマットに従って前記トラフィックデータメッセージのＰａｙｌｏａｄにＵＥのＩＰアドレスを追加し、新しいトラフィックデータメッセージを構成する処理ユニットと、前記新しいトラフィックデータメッセージをモバイル・エッジ・コンピューティングＭＥＣサーバーに送信し、前記ＭＥＣサーバーにより、前記装置のＩＰアドレスに基づいて前記装置に対応するトラフィックデータメッセージ転送モードを確定し、かつ、前記装置に対応するトラフィックデータメッセージ転送モードに基づき、前記トラフィックデータメッセージ転送モードに対応する処理方式で前記トラフィックデータメッセージを処理した後に送信する送信ユニットとを備える。
【００２８】
好ましくは、前記処理ユニットは、ＭＥＣサーバーにより転送された、リモートサービスサーバーから送信されたトラフィックデータメッセージを受信し、受信したトラフィックデータメッセージを処理した後、送信すべきトラフィックデータメッセージを生成し、本装置のＩＰアドレスをソースＩＰアドレスとし、ＵＥのＩＰアドレスをターゲットＩＰアドレスとして、前記生成したトラフィックデータメッセージに含ませ、前記送信ユニットは、前記生成した、かつ、本装置のＩＰアドレス及びＵＥのＩＰアドレスを含むトラフィックデータメッセージをＭＥＣサーバーに送信し、受信したトラフィックデータメッセージをＭＥＣサーバーによりＵＥに送信する。
【００２９】
本発明の実施例に係るデータ伝送システムは、上述のＭＥＣサーバー側におけるデータ伝送装置と、ローカルサービスサーバー側におけるデータ伝送装置とを備える。
【図面の簡単な説明】
【００３０】
【図１】本発明の実施例に係るシステムのネットワークアーキテクチャ及びトラフィックデータフローを示す図である。
【図２】本発明の実施例に係るビデオバックホール及び分析のアプリケーションシナリオ図である。
【図３】本発明の実施例に係るデータ伝送方法のフローチャートである。
【図４】本発明の実施例に係る他のデータ伝送方法のフローチャートである。
【図５ａ】本発明の実施例に係るデータ伝送過程のトラフィックデータメッセージフォーマットの処理プロセスを示す図である。
【図５ｂ】本発明の実施例に係る他のデータ伝送過程のトラフィックデータメッセージフォーマットの処理プロセスを示す図である。
【図６】本発明の実施例に係るデータ伝送装置の構成図である。
【図７】本発明の実施例に係る他のデータ伝送装置の構成図である。
【発明を実施するための形態】
【００３１】
本発明に係る実施例は、データ伝送方法、装置及びシステムを提供し、ＥＣのアプリケーションシナリオを拡張する。トラフィックデータは、ローカルサービスプラットフォームで終了することができるだけでなく、ローカルサービスプラットフォームによって処理した後、リモートサービスプラットフォームに渡されて処理させることもできる。または、トラフィックデータがリモートサービスプラットフォームによって処理された後、ローカルサービスプラットフォームに渡されて処理させることもできる。
【００３２】
本発明に係る実施例では、ＭＥＣサーバーのために、ローカルサービスサーバーＩＰアドレス、ＩＰアドレスプレフィックスなどのようなローカルサービステンプレート情報を予めに設定する。前記情報は、ＯＭ（Ｏｐｅｒａｔｉｏｎ Ｍａｎａｇｅｍｅｎｔ）エンティティにより設定することができるが、これに限定しない。また、本発明に係る実施例では、特定のＭＥＣアプリケーションシナリオ（例えば、ビデオバックホール及び分析シナリオ）を満足できない従来技術の問題点を解決するため、ローカルサービスサーバーそれぞれに、前記ローカルサービスサーバーに対応するデータメッセージ転送モードを設定する。前記データメッセージ転送モードは、ローカルデータ終了モード、または、ローカルデータ経由モードであり、詳しくはテーブル１に示すデータ転送情報リストを参考されたい。前記データ転送情報リストは、例えば、ＯＭエンティティにより、ローカルサービスサーバーそれぞれに、予めに設定されてＭＥＣサーバーに格納されることができる。ここで、データ転送情報リスト内の情報は、データメッセージ転送モード、リモートサービスサーバーＩＰアドレス及びリモートサービス帰属するＡＰＮなどをふくむが、これらに限定されない。また、ローカルサービスサーバーとリモートサービスサーバーは、１対１の関係に限られない。ことなるＩＰアドレスのローカルサービスサーバーは、例えば、対応の異なるローカルサービスを処理することができる。
【００３３】
【表１】
2019509682.tif 000003
【００３４】
こうして、ＭＥＣサーバーは、ローカルサービスサーバーから送信されたユーザープレーンのトラフィックデータメッセージを受信した後、上述の所定データ転送情報リストに基づき、前記ローカルサービスサーバーに対応するトラフィックデータメッセージ転送モードを判断し、また、前記ローカルサービスサーバーに対応するトラフィックデータメッセージ転送モードに基づき、前記トラフィックデータメッセージ転送モードに対応する処理方式で前記トラフィックデータメッセージを処理して送信する。従って、トラフィックデータは、ローカルサービスプラットフォームで終了することができるだけでなく、ローカルサービスプラットフォームにより処理した後、リモートサービスプラットフォームにより処理されることができる。
【００３５】
具体的に、本発明の実施例に係るシステムのネットワークアーキテクチャ及びトラフィックデータフローは、図１に示す。ここで、ＭＥＣサーバー、e-ＮＢ、ローカルサービスサーバーは、同一のネットワークレベルに配備されており、即ち、モバイルエッジの近くに位置し、ＭＥＣサーバーはe-ＮＢ、ローカルサービスサーバーとそれぞれ接続する。ＥＰＣ側において、モビリティ管理エンティティ（Ｍｏｂｉｌｉｔｙ Ｍａｎａｇｅｍｅｎｔ Ｅｎｔｉｔｙ，ＭＭＥ）、Ｓ−ＧＷ及びＰ−ＧＷが備えられる。ＥＰＣ後のリモートサービスサーバーはより高いネットワークレベル（例えば、コア機械室）に配備される。また、ＭＥＣサーバーは、e-ＮＢとＥＰＣとの間のＳ１インターフェースで直列に接続され、伝送ネットワーク（ＰＴＮネットワークなど）によって接続される。図１に示すネットワークアーキテクチャにおいて、３の双方向データ伝送が実現される。
【００３６】
〈第１種〉
図１のデータフロー１に対応し、そのデータ伝送方向は、ＵＥ<-->ｅ−ＮＢ<-->ＭＥＣサーバー<-->ＳＡＥ−ＧＷ<-->リモートサービスサーバー。即ち、ユーザープレーンのトラフィックデータメッセージは、ＵＥから開始され、e-ＮＢ、ＭＥＣサーバー、Ｓ−ＧＷを経由して伝送され、最終にリモートサービスサーバーに送信される。ユーザープレーンのトラフィックデータメッセージは、リモートサービスサーバーから開始され、ＳＡＥ−ＧＷ 、ＭＥＣサーバー、ｅ-ＮＢを経由して伝送され、最後にＵＥに送信されるようなフローにしてもよい。
【００３７】
前記データ伝送過程にはリモートサービス処理のみに関連し、前記伝送モードをダイレクトモードと称する。以下、詳しく説明する。
【００３８】
ＵＥから送信されたアップリンクトラフィックデータメッセージの場合、ＵＥがアクセスするターゲットＩＰアドレスがＰＤＮネットワーク内のリモートサービスサーバーのＩＰアドレスであり、ＭＥＣサーバーは、ｅ−ＮＢにより転送された、前記ＵＥから送信されたトラフィックデータメッセージを受信した後、前記トラフィックデータメッセージ内のソースＩＰアドレス（ＵＥのＩＰアドレス）及びターゲットＩＰアドレスを取得することにより、前記トラフィックデータメッセージをリモートサービスサーバー二送信する必要があると確定する。こうして、ＭＥＣサーバーは、前記トラフィックデータメッセージを公衆網ＳＡＥ−ＧＷにトランスペアレントトランスミッションし、ＳＡＥ−ＧＷにより前記トラフィックデータメッセージをリモートサービスサーバーに送信する。勿論、ＭＥＣサーバーがトラフィックデータメッセージをＳＡＥ−ＧＷに送信する前、アップリンクベアラを確定する必要があり、そして、前記アップリンクベアラにより、前記トラフィックデータをＳＡＥ−ＧＷに送信する。アップリンクベアラの確定は、具体的に、例えば、ＭＥＣサーバーがS１インターフェースのシグナリング及びトラフィックデータをモニターリングして、前記ＵＥのＩＰアドレスとベアラの対応関係を取得し、トラフィックデータメッセージをＳＡＥ−ＧＷに伝送するためのアップリンクベアラを確定する。
【００３９】
リモートサービスサーバーから送信されたダウンリンクトラフィックデータメッセージの場合、リモートサービスサーバーによりアクセスするターゲットＩＰアドレスがＵＥのＩＰアドレスであり、ＭＥＣサーバーは、公衆網ＳＡＥ−ＧＷにより転送された、前記リモートサービスサーバーから送信されたトラフィックデータメッセージを受信した後、前記トラフィックデータメッセージ内のソースＩＰアドレス（リモートサービスサーバーのＩＰアドレス）及びターゲットＩＰアドレスを取得することにより、前記トラフィックデータメッセージをＵＥに送信することを確定する。こうして、ＭＥＣサーバーは、前記トラフィックデータメッセージを、ｅ−ＮＢトランスペアレントトランスミッションし、ｅ−ＮＢにより前記トラフィックデータメッセージをＵＥに送信する。勿論、ＭＥＣサーバーが、トラフィックデータメッセージをｅ−ＮＢに送信する前、ダウンリンクベアラを確定し、前記ダウンリンクベアラにより前記トラフィックデータをｅ−ＮＢに送信する。ダウンリンクベアラの確定は、例えば、ＭＥＣサーバーは、S１インターフェースのシグナリング及びトラフィックデータをモニターリングし、前記ＵＥのＩＰアドレスとベアラの対応関係を取得して、トラフィックデータメッセージをｅ−ＮＢに伝送するためのダウンリンクベアラを確定する。
【００４０】
〈第２種〉
図１のデータフロー２に対応し、そのデータ伝送方向は、ＵＥ<-->ｅ−ＮＢ<-->ＭＥＣサーバー<-->ローカルサービスサーバーである。すなわち、ユーザープレーンのトラフィックデータメッセージは、ＵＥから開始され、ｅ−ＮＢ、ＭＥＣサーバーそれぞれにより伝送され、最後にローカルサービスサーバーに送信する。ユーザープレーンのトラフィックデータメッセージは、ローカルサービスサーバーから開始され、ＭＥＣサーバー、ｅ−ＮＢそれぞれにより伝送され、最後にＵＥに送信してもよい。
【００４１】
〈第３種〉
図１のデータフロー３に対応し、そのデータ伝送方向は、ＵＥ<-->ｅ−ＮＢ<-->ＭＥＣサーバー<-->ローカルサービスサーバー<--> ＭＥＣサーバー<-->ＳＡＥ−ＧＷ<-->リモートサービスサーバーであり、すなわち、ユーザープレーンのトラフィックデータメッセージは、ＵＥから開始され、ｅ−ＮＢ、ＭＥＣサーバーそれぞれにより伝送され、ローカルサービスサーバーに送信し、ローカルサービスサーバーによりトラフィックデータを処理した後、ＭＥＣサーバーに送信し、さらに、ＭＥＣサーバーによりトラフィックデータメッセージをＳＡＥ−ＧＷに送信し、ＳＡＥ−ＧＷによりトラフィックデータメッセージを最終的にリモートサービスサーバーに送信して処理される。ユーザープレーンのトラフィックデータメッセージは、リモートサービスサーバーから開始され、ＳＡＥ−ＧＷ 、ＭＥＣサーバーそれぞれによりローカルサービスサーバーに送信して処理し、ローカルサービスサーバーは、トラフィックデータを処理してＭＥＣサーバーに送信し、ＭＥＣサーバーによりトラフィックデータメッセージをｅ−ＮＢに送信し、ｅ−ＮＢによりトラフィックデータメッセージを最終的にＵＥに送信する。
【００４２】
前記第３種の伝送方式は、例えば、ビデオバックホール及び分析など特定のＭＥＣアプリケーションシナリオに適用することができる。図２は、ビデオバックホール及び分析のアプリケーションシナリオを示す。前記シナリオにおいて、LTE端末は（カメラ）ビデオフローの採取を完了する。ビデオフローは、ＬＴＥネットワーク（アップリンク）を介してローカルサービスプラットフォームにバックホールされる。ローカルサービスプラットフォームは、バックホールされたビデオフローに対して、コード変換、格納、管理、圧縮、ビデオ分析などを含む先処理を行う。ここで、ローカルサービスプラットフォームは、イベント（例えば、移動オブジェクト、紛失した子供、手荷物など）を設定・検出して通知し、その後、イベント、メタデータ、ビデオスライスなどを含む処理されたデータを、コア機器ルーム内の遠隔サービスプラットフォームに送信する。ローカルサービスプラットフォームは、高帯域幅ビデオストリームを低帯域幅イベント、メタデータ、ビデオスライスなどに変換するため、送信帯域幅を大幅に節約することができる。前記シナリオは、公的セキュリティ、知的都市などの分野に広く適用することができる。
【００４３】
上述の第２種及び第３種のデータ伝送過程の伝送モードにいずれもシャントモードと称することができるため、以下、上述の第２種及び第３種シャントモード場合のデータ伝送方法を詳しく説明する。
【００４４】
ＭＥＣサーバー側において、図３に示すように、本発明の実施例に係るデータ伝送方法は、下記のステップを備える。
【００４５】
S３０１において、ＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定する。前記トラフィックデータメッセージ転送モードは、ローカルデータ終了モードであり、トラフィックデータメッセージがＵＥとローカルサービスサーバーの間でのみに伝送されることを指示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示す。ここで、前記所定のデータ転送情報リストは、ローカルサービスサーバーごとにOMエンティティによって予め設定され、上述したようにMECサーバーに格納されることができるので、ここではその説明を省略する。
【００４６】
S３０２において、前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理して送信する。
【００４７】
好ましくは、ステップS３０１は、具体的に、前記ＭＥＣサーバーは、ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定する。
【００４８】
好ましくは、ステップS３０２は以下のような２状況を有する。
【００４９】
〈状況１〉
前記ローカルサービスサーバーに対応するトラフィックデータメッセージ転送モードはローカルデータ経由モードである。
【００５０】
前記ローカルデータ経由モードの場合、前記ＭＥＣサーバーが前記トラフィックデータメッセージから取得したターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する。
【００５１】
または、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信する。
【００５２】
〈状況２〉
前記ローカルサービスサーバーに対応するトラフィックデータメッセージ転送モードがローカルデータ終了モードである。
【００５３】
ＭＥＣサーバーが前記ローカルサービスサーバーに対応するトラフィックデータメッセージ転送モードがローカルデータ終了モードであると確定した場合、前記ＭＥＣサーバーは、前記トラフィックデータメッセージをＵＥに送信する必要があると確定する。
【００５４】
前記ＭＥＣサーバーは、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、前記ダウンリンクベアラにより前記トラフィックデータメッセージを基地局に送信し、基地局により前記トラフィックデータメッセージを前記ＵＥに送信する。
【００５５】
好ましくは、上述の状況１において、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する。具体的に、前記ＭＥＣサーバーは、前記ローカルサービスサーバーから送信された前記トラフィックデータメッセージのペイロードＰａｙｌｏａｄにおいて、約定したフォーマットに基づき、ＵＥのＩＰアドレスを取得した後、前記ＵＥのＩＰアドレス削除して新しいトラフィックデータメッセージを構成する。
【００５６】
前記ＭＥＣサーバーは、所定のデータ転送情報リストに基づき、前記ローカルサービスサーバーのＩＰアドレス及び前記リモートサービスサーバーのＩＰアドレスと対応するアクセスポイント名ＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信する。
【００５７】
また、前記ＭＥＣサーバーが前記ローカルサービスサーバーのＩＰアドレス及び前記リモートサービスサーバーのＩＰアドレスと対応するＡＰＮ情報を取得した後、前記ＡＰＮ下の前記ＵＥに対応するベアラが複数であると確定すれば、ＱｏＳ（Ｑｕａｌｉｔｙ ｏｆ Ｓｅｒｖｉｃｅ）属性によりベアラをさらに選択することができる。
【００５８】
好ましくは、上述の状況１において、前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信する。具体的に、前記ＭＥＣサーバーは、前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会する。
【００５９】
ここで、前記ＭＥＣサーバー予め格納した前記ＵＥのＩＰアドレスとベアラの対応関係テーブルは、例えば、ＭＥＣサーバーがS１インターフェースのシグナリング及びトラフィックデータをモニターリングすることにより、ＵＥのＩＰアドレスとベアラの対応関係を取得し、ローカルファイルに格納する。
【００６０】
前記ＭＥＣサーバーは、前記ベアラ情報に基づいて前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信する。
【００６１】
好ましくは、上述の状況２において，ＭＥＣサーバーが前記ローカルサービスサーバーに対応するトラフィックデータメッセージ転送モードがローカルデータ終了モードであると確定した場合、ＭＥＣサーバーは、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定する。当該確定プロセスは、例えば、ＭＥＣサーバーにより、S１インターフェースのシグナリング及びトラフィックデータをモニターリングすることにより、前記ＵＥのＩＰアドレスとベアラの対応関係を取得し、さらに、トラフィックデータメッセージを前記ＵＥに伝送するためのダウンリンクベアラを確定する。
【００６２】
また、図３に示すデータ伝送方法の適用前提としては、トラフィックデータがローカルサービスサーバーにより処理された後、ローカルサービスサーバーは、トラフィックデータメッセージをＭＥＣサーバーに送信し、ＭＥＣサーバーにより、ローカルサービスサーバーに対応するトラフィックデータメッセージ転送モードを確定し、前記トラフィックデータメッセージ転送モードに対応する処理方式で前記トラフィックデータメッセージを処理して送信する。
【００６３】
勿論、データ伝送方法は、ＭＥＣサーバーがＳＡＥ−ＧＷにより転送されたトラフィックデータメッセージを受信下場合、前記ＭＥＣサーバーは、前記トラフィックデータメッセージからターゲットＩＰアドレスを取得するステップと、前記ターゲットＩＰアドレスがローカルサービスサーバーのＩＰアドレスであると確定した場合、前記ＭＥＣサーバーは、受信したトラフィックデータメッセージをローカルサービスサーバーに送信するステップとをさらに備える。
【００６４】
こうして、リモートサービスサーバーから送信されたトラフィックデータは、まずローカルサービスサーバーにより処理された後にＵＥに送信する。
【００６５】
または、前記ターゲットＩＰアドレスがＵＥのＩＰアドレスであると確定した場合、前記ＭＥＣサーバーは、前記ＵＥのＩＰアドレスに基づき、トラフィックデータメッセージを前記ＵＥに伝送するためのダウンリンクベアラを確定し、前記ダウンリンクベアラにより、前記受信したトラフィックデータメッセージを基地局に送信し、基地局により前記トラフィックデータメッセージを前記ＵＥに送信する。当該状況は上述のダイレクトモードに対応する。
【００６６】
ローカルサービスサーバー側において、図４は本発明の実施例に係るデータ伝送方法を示す。以下のステップを備える。S４０１において、ローカルサービスサーバーは、トラフィックデータメッセージをリモートサービスサーバーに送信しようとする場合、前記ローカルサービスサーバーのＩＰアドレスをソースＩＰアドレスとし、かつ、リモートサービスサーバーのＩＰアドレスをターゲットＩＰアドレスとして、トラフィックデータメッセージに含ませ、約定したフォーマットに従って前記トラフィックデータメッセージのＰａｙｌｏａｄにＵＥのＩＰアドレスを追加し、新しいトラフィックデータメッセージを構成する。
【００６７】
S４０２において、前記ローカルサービスサーバーは、前記新しいトラフィックデータメッセージを、モバイル・エッジ・コンピューティング（Ｍｏｂｉｌｅ Ｅｄｇｅ Ｃｏｍｐｕｔｉｎｇ，ＭＥＣ）サーバーに送信し、前記ＭＥＣサーバーにより前記ローカルサービスサーバーのＩＰアドレスに基づき、前記ローカルサービスサーバーに対応するトラフィックデータメッセージ転送モードを確定し、前記ローカルサービスサーバーに対応するトラフィックデータメッセージ転送モードに基づき、前記トラフィックデータメッセージ転送モードに対応する処理方式で前記トラフィックデータメッセージを処理した後に送信する。
【００６８】
よって、図４に示す方法に、ローカルサービスサーバーはローカルデータ経由モードに対応する。
【００６９】
図４に示すデータ伝送方法をベースとし、前記方法は、前記ローカルサービスサーバーは、ＭＥＣサーバーにより転送された、リモートサービスサーバーから送信されたトラフィックデータメッセージを受信するステップと、前記ローカルサービスサーバーは、受信したトラフィックデータメッセージを処理した後、送信すべきトラフィックデータメッセージを生成し、前記ローカルサービスサーバーのＩＰアドレスをソースＩＰアドレスとし、また、ＵＥのＩＰアドレスをターゲットＩＰアドレスとして、前記生成したトラフィックデータメッセージに含ませてＭＥＣサーバーに送信し、受信したトラフィックデータメッセージをＭＥＣサーバーによりＵＥに送信するステップとをさらに備える。
【００７０】
以下、例を挙げて、ユーザープレーントラフィックデータメッセージ伝送過程の、ネットワークエンティティによるトラフィックデータメッセージのフォーマットに対する処理を説明する。
【００７１】
図５aはＵＥとローカルサービスサーバーの間でトラフィックデータメッセージを伝送する場合、ＵＥ及びローカルサービスサーバーそれぞれのトラフィックデータメッセージのフォーマット対する処理である。
【００７２】
ＵＥがＡＰＮ１及びＡＰＮ２とともにアクセスしたとし、かつ、ＳＡＥ−ＧＷは、前記ＵＥとＡＰＮ１のアクセスに対し、前記ＵＥに割り当てたＩＰアドレスがＩＰ０１であり、前記ＵＥとＡＰＮ２のアクセスに対し、前記ＵＥに割り当てたＩＰアドレスがＩＰ０２である。ＵＥがこの際にアクセスするローカルサービスサーバーのＩＰアドレスはＩＰ２である。このとき、前記ＵＥがトラフィックデータメッセージを前記ローカルサービスサーバーに送信する場合、前記ＵＥがトラフィックデータメッセージのフォーマットを処理した後に得られたトラフィックデータメッセージフォーマットは、図５aの矢印左側部分に示すように、ＩＰ０１は前記ＵＥ目下のＩＰアドレス（ソースＩＰアドレス）に対応し、ＩＰ２は、前記ＵＥが目下アクセスするローカルサービスサーバーのＩＰアドレス（ターゲットＩＰアドレス）に対応する。
【００７３】
一方、図５aの矢印右側部分は、前記ローカルサービスサーバーがトラフィックデータメッセージを前記ＵＥに送信する場合に、前記ローカルサービスサーバーがトラフィックデータメッセージのフォーマットを処理して得られたトラフィックデータメッセージフォーマットを示す。ＩＰ２は、前記ローカルサービスサーバーのＩＰアドレス（ソースＩＰアドレス）に対応し、ＩＰ０１は、前記ローカルサービスサーバーが目下アクセスする前記ＵＥのＩＰアドレス（ターゲットＩＰアドレス）に対応する。
【００７４】
図５aに示したローカルサービスサーバーがＵＥからトラフィックデータメッセージを受信した後、トラフィックデータを処理して、トラフィックデータメッセージをリモートサービスサーバーに送信する場合、ローカルサービスサーバー及びＭＥＣサーバーそれぞれがトラフィックデータメッセージのフォーマットを処理するプロセスは図５bに示す。
【００７５】
前記ローカルサービスサーバーがアクセスしょうとするリモートサービスサーバーのＩＰアドレスがＩＰ５とすれば、前記ローカルサービスサーバーがトラフィックデータメッセージをＭＥＣサーバーに送信する場合、前記ローカルサービスサーバーによるトラフィックデータメッセージのフォーマットに対する処理は、前記ローカルサービスサーバーのＩＰアドレス（ＩＰ２）をソースＩＰアドレス年、及び、前記リモートサービスサーバーのＩＰアドレス（ＩＰ５）をターゲットＩＰアドレスとしてトラフィックデータメッセージに含ませ、約定したフォーマットに基づき、前記トラフィックデータメッセージのＰａｙｌｏａｄにＵＥのＩＰアドレス（ＩＰ０１）を追加し、新しいトラフィックデータメッセージを構成する。処理後に得られたトラフィックデータメッセージフォーマットは、図５bの矢印左側を参照し、ＩＰ２は、前記ローカルサービスサーバーのＩＰアドレス（ソースＩＰアドレス）に対応し、ＩＰ５は、前記リモートサービスサーバーのＩＰアドレス（即ターゲットＩＰアドレス），Ｐａｙｌｏａｄに含まれるＩＰ０１に対応するＵＥのＩＰアドレスに対応する。
【００７６】
一方、ＭＥＣサーバーが、前記ローカルサービスサーバーから送信されたトラフィックデータメッセージを受信した後、前記トラフィックデータメッセージを処理するプロセスは、前記ローカルサービスサーバーから送信された前記トラフィックデータメッセージのＰａｙｌｏａｄにおいて、約定したフォーマットに基づいてＵＥのＩＰアドレス（ＩＰ０１）を取得した後、前記ＵＥのＩＰアドレスを削除して新しいトラフィックデータメッセージを構成する。そして、前記新しいトラフィックデータメッセージをＳＡＥ−ＧＷに送信し、ＳＡＥ−ＧＷにより、前記新しいトラフィックデータメッセージを、リモートサービスサーバーに送信する。前記新しいトラフィックデータメッセージのフォーマットは、図５bの矢印右側部分を参考する。
【００７７】
ＭＥＣサーバー側において、図６は本発明の実施例に係るデータ伝送装置を示す。当該装置は、ローカルサービスサーバーから送信されたトラフィックデータメッセージを受信した場合、所定のデータ転送情報リストに基づき、前記ローカルサービスサーバーに対応するトラフィックデータメッセージ転送モードを確定する確定ユニット６１と、前記ローカルサービスサーバーに対応するトラフィックデータメッセージ転送モードに基づき、前記トラフィックデータメッセージ転送モードに対応する処理方式で前記トラフィックデータメッセージを処理して送信する処理ユニット６２とを備える。
【００７８】
ここで、前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示す。
【００７９】
好ましくは、前記確定ユニット６１は、ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定する。
【００８０】
好ましくは、前記処理ユニット６２は、前記ローカルサービスサーバーに対応するトラフィックデータメッセージ転送モードがローカルデータ経由モードであり、かつ、前記トラフィックデータメッセージから取得したターゲットＩＰアドレスがリモートサービスサーバーのＩＰアドレスである場合、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する。または、前記ローカルサービスサーバーに対応するトラフィックデータメッセージ転送モードがローカルデータ経由モードであり、かつ、前記トラフィックデータメッセージから取得したターゲットＩＰアドレスがＵＥのＩＰアドレスである場合、前記トラフィックデータメッセージを前記ＵＥに伝送するためのダウンリンクベアラを確定し、かつ、前記ダウンリンクベアラにより、前記トラフィックデータメッセージを送信する。
【００８１】
好ましくは、前記処理ユニット６２は、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する場合、前記ローカルサービスサーバーから送信された前記トラフィックデータメッセージのペイロードＰａｙｌｏａｄにおいて、約定したフォーマットに基づき、ＵＥのＩＰアドレスを取得した後、前記ＵＥのＩＰアドレスを削除して新しいトラフィックデータメッセージを構成する。
【００８２】
また、所定のデータ転送情報リストに基づき、前記ローカルサービスサーバーのＩＰアドレス及び前記リモートサービスサーバーのＩＰアドレスと対応するアクセスポイント名ＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信する。
【００８３】
好ましくは、前記処理ユニット６２は、前記トラフィックデータメッセージを前記ＵＥに伝送するためのダウンリンクベアラを確定し、かつ、前記ダウンリンクベアラにより、前記トラフィックデータメッセージを送信する場合、前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会する。
【００８４】
また、前記ベアラ情報に基づき、前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信する。
【００８５】
好ましくは、前記処理ユニット６２は、前記トラフィックデータメッセージ転送モードがローカルデータ終了モードである場合、前記トラフィックデータメッセージをＵＥに送信する必要があると確定する。
【００８６】
また、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、前記ダウンリンクベアラにより前記トラフィックデータメッセージを基地局に送信し、基地局により前記トラフィックデータメッセージを前記ＵＥに送信する。
【００８７】
好ましくは、前記確定ユニットは、システムアーキテクチャエボリューションゲートウェイ（ＳＡＥ−ＧＷ）から転送されたトラフィックデータメッセージを受信した場合、前記ＭＥＣサーバーは、前記トラフィックデータメッセージからターゲットＩＰアドレスを取得し、前記ターゲットＩＰアドレスに対応するネットワークエンティティを確定する。
【００８８】
前記処理ユニット６２は、前記確定ユニット６１がＳＡＥ−ＧＷにより転送されたトラフィックデータメッセージを受信し、かつ、前記トラフィックデータメッセージ内のターゲットＩＰアドレスに対応するネットワークエンティティがローカルサービスサーバーを受信する場合、前記確定ユニットが受信したトラフィックデータメッセージをローカルサービスサーバーに送信する。または、前記処理ユニット６２は、前記確定ユニット６１がＳＡＥ−ＧＷにより転送されたトラフィックデータメッセージを受信し、かつ、前記トラフィックデータメッセージ内のターゲットＩＰアドレスに対応するネットワークエンティティがＵＥである場合、前記ＵＥのＩＰアドレスに基づき、トラフィックデータメッセージを前記ＵＥに伝送するためのダウンリンクベアラを確定し、前記ダウンリンクベアラにより、前記確定ユニットが受信したトラフィックデータメッセージを基地局に送信し、基地局により前記トラフィックデータメッセージを前記ＵＥに送信する。
【００８９】
ローカルサービスサーバー側において、図７は、本発明の実施例に係るトラフィックデータ伝送装置を示す。当該装置は、トラフィックデータメッセージをリモートサービスサーバーに送信する必要がある場合、本装置のＩＰアドレスをソースＩＰアドレスとし、リモートサービスサーバーのＩＰアドレスをターゲットＩＰアドレスとしてトラフィックデータメッセージに含ませ、約定したフォーマットに従って前記トラフィックデータメッセージのＰａｙｌｏａｄにＵＥのＩＰアドレスを追加し、新しいトラフィックデータメッセージを構成する処理ユニット７１と、前記新しいトラフィックデータメッセージをモバイル・エッジ・コンピューティングＭＥＣサーバーに送信し、前記ＭＥＣサーバーにより、前記装置のＩＰアドレスに基づいて前記装置に対応するトラフィックデータメッセージ転送モードを確定し、かつ、前記装置に対応するトラフィックデータメッセージ転送モードに基づき、前記トラフィックデータメッセージ転送モードに対応する処理方式で前記トラフィックデータメッセージを処理した後に送信する送信ユニット７２とを備える。
【００９０】
好ましくは、前記処理ユニット７１は、ＭＥＣサーバーにより転送された、リモートサービスサーバーから送信されたトラフィックデータメッセージを受信し、受信したトラフィックデータメッセージを処理した後、送信すべきトラフィックデータメッセージを生成し、本装置のＩＰアドレスをソースＩＰアドレスとし、ＵＥのＩＰアドレスをターゲットＩＰアドレスとして、前記生成したトラフィックデータメッセージに含ませる。
【００９１】
前記送信ユニット７２は、前記生成した、本装置のＩＰアドレス及びＵＥのＩＰアドレスを含むトラフィックデータメッセージをＭＥＣサーバーに送信し、受信したトラフィックデータメッセージをＭＥＣサーバーによりＵＥに送信する。
【００９２】
本発明の実施例に係るデータ伝送システムは、上述のＭＥＣサーバー側におけるデータ伝送装置と、ローカルサービスサーバー側におけるデータ伝送装置とを備える。
【００９３】
本発明に係る実施例では、各機能モジュールは、送信、処理などの機能を有する物理的デバイス、例えば、ハードウェアプロセッサなどとして具体化することができる。
【００９４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。前記製品はコンピュータ使用可能なプログラムコードを含むコンピュータ使用可能な格納媒体（ディスク格納装置、ＣＤ-ＲＯＭ、光学格納装置等を含むがそれとは限らない）において実施する。
【００９５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００９６】
これらのコンピュータプログラム指令は又、コンピュータ或いは他のプログラム可能なデータ処理装置を特定方式で動作させるコンピュータ読取格納装置に格納できる。これによって、指令を含む装置は前記コンピュータ読取格納装置内の指令を実行でき、フロー図における一つ或いは複数のフローおよび／またはブロック図における一つ或いは複数のブロックに指定する機能を実現する。
【００９７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００９８】
上述のした実施形態に記述された技術的な解決手段を改造し、或いはその中の一部の技術要素を置換することもできる。そのような、改造と置換は本発明の各実施形態の技術の範囲から逸脱するとは見なされない。
【００９９】
無論、当業者によって、上述のした実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１００】
本出願は、２０１６年３月７日に中国特許局に提出し、出願番号が２０１６１０１２７９４８.２であり、発明名称が「データ伝送方法、装置及びシステム」との中国特許出願を基礎とする優先権を主張し、その開示の総てをここに取り込む。
【符号の説明】
【０１０１】
６１  確定ユニット
６２  処理ユニット
７１  処理ユニット
７２  送信ユニット
【図１】
2019509682.tif 000004
【図２】
2019509682.tif 000005
【図３】
2019509682.tif 000006
【図４】
2019509682.tif 000007
【図５ａ】
2019509682.tif 000008
【図５ｂ】
2019509682.tif 000009
【図６】
2019509682.tif 000010
【図７】
2019509682.tif 000011
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
モバイル・エッジ・コンピューティングＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定するステップと、
前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理して送信するステップとを備え、
前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示すことを特徴とするデータ伝送方法。
【請求項２】
前記ＭＥＣサーバーは、ローカルサービスサーバーから送信されたトラフィックデータメッセージを受信した場合、所定のデータ転送情報リストに基づき、前記ローカルサービスサーバーに対応するトラフィックデータメッセージ転送モードを確定する場合、
前記ＭＥＣサーバーは、ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定することを特徴とする請求項１に記載のデータ伝送方法。
【請求項３】
前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理して送信する場合、
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信するか、または、
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信することを特徴とする請求項１に記載のデータ伝送方法。
【請求項４】
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがリモートサービスサーバーのＩＰアドレスである場合、前記ＭＥＣサーバーは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する場合、
前記ＭＥＣサーバー前記ローカルサービスサーバーから送信された前記トラフィックデータメッセージのペイロードＰａｙｌｏａｄにおいて、約定したフォーマットに基づいてＵＥのＩＰアドレスを取得した後、前記ＵＥのＩＰアドレスを削除して新しいトラフィックデータメッセージを構成し、
前記ＭＥＣサーバーは、所定のデータ転送情報リストに基づき、前記ローカルサービスサーバーのＩＰアドレス及び前記リモートサービスサーバーのＩＰアドレスと対応するアクセスポイント名ＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信し、
または、
前記ローカルサービスサーバーに対応するトラフィックデータメッセージ転送モードがローカルデータ経由モードであり、かつ、前記ＭＥＣサーバーにより前記トラフィックデータメッセージから取得されたターゲットＩＰアドレスがＵＥのＩＰアドレスである場合、前記ＭＥＣサーバーは、前記トラフィックデータメッセージを前記ＵＥに伝送するためのダウンリンクベアラを確定し、かつ、前記ダウンリンクベアラにより、前記トラフィックデータメッセージを送信する場合、
前記ＭＥＣサーバーは、前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会し、
前記ＭＥＣサーバーは、前記ベアラ情報に基づいて前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信することを特徴とする請求項３に記載のデータ伝送方法。
【請求項５】
前記ＭＥＣサーバーは、前記ローカルサービスサーバーに対応するトラフィックデータメッセージ転送モードに基づき、前記トラフィックデータメッセージ転送モードに対応する処理方式で前記トラフィックデータメッセージを処理した後に送信する場合、
前記ローカルサービスサーバーに対応するトラフィックデータメッセージ転送モードがローカルデータ終了モードであれば、前記ＭＥＣサーバーは、前記トラフィックデータメッセージをＵＥに送信する必要があると確定し、
前記ＭＥＣサーバーは、前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信することを特徴とする請求項１に記載のデータ伝送方法。
【請求項６】
前記ＭＥＣサーバーシステムアーキテクチャエボリューションゲートウェイ（ＳＡＥ−ＧＷ）から転送されたトラフィックデータメッセージを受信した場合、前記ＭＥＣサーバーは、前記トラフィックデータメッセージからターゲットＩＰアドレスを取得し、
前記ターゲットＩＰアドレスがローカルサービスサーバーのＩＰアドレスであると確定した場合、前記ＭＥＣサーバーは、受信したトラフィックデータメッセージをローカルサービスサーバーに送信し、または、前記ターゲットＩＰアドレスがＵＥのＩＰアドレスであると確定した場合、前記ＭＥＣサーバーは、前記ＵＥのＩＰアドレスに基づき、トラフィックデータメッセージを前記ＵＥに伝送するためのダウンリンクベアラを確定し、前記ダウンリンクベアラにより、前記受信したトラフィックデータメッセージを基地局に送信し、基地局により前記トラフィックデータメッセージを前記ＵＥに送信することを特徴とする請求項１ないし請求項５のいずれか１項に記載のデータ伝送方法。
【請求項７】
ローカルサービスサーバーは、トラフィックデータメッセージをリモートサービスサーバーに送信しようとする場合、前記ローカルサービスサーバーのＩＰアドレスをソースＩＰアドレスとし、かつ、リモートサービスサーバーのＩＰアドレスをターゲットＩＰアドレスとして、トラフィックデータメッセージに含ませ、約定したフォーマットに基づき、前記トラフィックデータメッセージのペイロードＰａｙｌｏａｄにＵＥのＩＰアドレスを追加し、新しいトラフィックデータメッセージを構成するステップと、
前記ローカルサービスサーバーは、前記新しいトラフィックデータメッセージを、モバイル・エッジ・コンピューティングＭＥＣサーバーに送信し、前記ＭＥＣサーバーにより前記ローカルサービスサーバーのＩＰアドレスに基づき、前記ローカルサービスサーバーに対応するトラフィックデータメッセージ転送モードを確定し、前記ローカルサービスサーバーに対応するトラフィックデータメッセージ転送モードに基づき、前記トラフィックデータメッセージ転送モードに対応する処理方式で前記トラフィックデータメッセージを処理した後に送信するステップとを備えることを特徴とするデータ伝送方法。
【請求項８】
前記ローカルサービスサーバーは、ＭＥＣサーバーにより転送された、リモートサービスサーバーから送信されたトラフィックデータメッセージを受信し、
前記ローカルサービスサーバーは、受信したトラフィックデータメッセージを処理した後、送信すべきトラフィックデータメッセージを生成し、前記ローカルサービスサーバーのＩＰアドレスをソースＩＰアドレスとし、また、ＵＥのＩＰアドレスをターゲットＩＰアドレスとして、前記生成したトラフィックデータメッセージに含ませてＭＥＣサーバーに送信し、受信したトラフィックデータメッセージをＭＥＣサーバーによりＵＥに送信することを特徴とする請求項７に記載のデータ伝送方法。
【請求項９】
ローカルサービスサーバーから送信されたトラフィックデータメッセージを受信した場合、所定のデータ転送情報リストに基づき、前記ローカルサービスサーバーに対応するトラフィックデータメッセージ転送モードを確定する確定ユニットと、
前記ローカルサービスサーバーに対応するトラフィックデータメッセージ転送モードに基づき、前記トラフィックデータメッセージ転送モードに対応する処理方式で前記トラフィックデータメッセージを処理して送信する処理ユニットとを備え、
前記トラフィックデータメッセージ転送モードは、ローカルデータ終了モードであり、トラフィックデータメッセージがＵＥとローカルサービスサーバーの間のみで伝送されることを示し、または、前記トラフィックデータメッセージ転送モードはローカルデータ経由モードであり、トラフィックデータメッセージがＵＥとリモートサービスサーバーの間で伝送する際にローカルサービスサーバーによる処理が必要とすることを示すことを特徴とするデータ伝送装置。
【請求項１０】
前記確定ユニットは、
ローカルサービスサーバーから送信されたトラフィックデータメッセージを受信した場合、前記トラフィックデータメッセージに含まれるローカルサービスサーバーのＩＰアドレスに基づき、所定のデータ転送情報リストから前記ローカルサービスサーバーのＩＰアドレスと対応するトラフィックデータメッセージ転送モードを照会し、前記ローカルサービスサーバーに対応するトラフィックデータメッセージ転送モードを確定することを特徴とする請求項９に記載のデータ伝送装置。
【請求項１１】
前記処理ユニットは、
前記ローカルサービスサーバーに対応するトラフィックデータメッセージ転送モードがローカルデータ経由モードであり、かつ、前記トラフィックデータメッセージから取得したターゲットＩＰアドレスがリモートサービスサーバーのＩＰアドレスである場合、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信し、または、
前記ローカルサービスサーバーに対応するトラフィックデータメッセージ転送モードがローカルデータ経由モードであり、かつ、前記トラフィックデータメッセージから取得したターゲットＩＰアドレスがＵＥのＩＰアドレスである場合、前記トラフィックデータメッセージを前記ＵＥに伝送するためのダウンリンクベアラを確定し、かつ、前記ダウンリンクベアラにより、前記トラフィックデータメッセージを送信することを特徴とする請求項９に記載のデータ伝送装置。
【請求項１２】
前記処理ユニットは、前記トラフィックデータメッセージのフォーマットを訂正し、かつ、前記訂正後のトラフィックデータメッセージをリモートサービスサーバーに伝送のためのアップリンクベアラを確定し、前記アップリンクベアラにより前記訂正後のトラフィックデータメッセージを送信する場合、
前記ローカルサービスサーバーから送信された前記トラフィックデータメッセージのペイロードＰａｙｌｏａｄにおいて、約定したフォーマットに基づいてＵＥのＩＰアドレスを取得した後、前記ＵＥのＩＰアドレスを削除して新しいトラフィックデータメッセージを構成し、
所定のデータ転送情報リストに基づき、前記ローカルサービスサーバーのＩＰアドレス及び前記リモートサービスサーバーのＩＰアドレスと対応するアクセスポイント名ＡＰＮ情報を取得し、前記ＡＰＮの下で前記ＵＥに対応するアップリンクベアラを確定し、前記アップリンクベアラにより、前記新しいトラフィックデータメッセージをシステムアーキテクチャエボリューションゲートウェイ（ＳＡＥ−ＧＷ）に送信し、ＳＡＥ−ＧＷにより、前記新しいトラフィックデータメッセージを、リモートサービスサーバーに送信し、
または、
前記処理ユニットは、前記トラフィックデータメッセージを前記ＵＥに伝送するためのダウンリンクベアラを確定し、かつ、前記ダウンリンクベアラにより、前記トラフィックデータメッセージを送信する場合、
前記トラフィックデータメッセージから取得した前記ＵＥのＩＰアドレスに基づき、予め格納した前記ＵＥのＩＰアドレスとベアラの対応関係テーブルから前記ＵＥに対応するベアラ情報を照会し、
前記ベアラ情報に基づき、前記トラフィックデータメッセージを前記ＵＥに伝送するためのダウンリンクベアラを確定し、かつ、前記ダウンリンクベアラにより、前記トラフィックデータメッセージを基地局に送信し、基地局により前記トラフィックデータメッセージを前記ＵＥに送信することを特徴とする請求項１１に記載のデータ伝送装置。
【請求項１３】
前記処理ユニットは、
前記トラフィックデータメッセージ転送モードがローカルデータ終了モードである場合、前記トラフィックデータメッセージをＵＥに送信する必要があると確定し、
前記トラフィックデータメッセージからＵＥのＩＰアドレスを取得し、かつ、前記ＵＥのＩＰアドレスに基づき、トラフィックデータメッセージを前記ＵＥに伝送するためのダウンリンクベアラを確定し、前記ダウンリンクベアラにより前記トラフィックデータメッセージを基地局に送信し、基地局により前記トラフィックデータメッセージを前記ＵＥに送信することを特徴とする請求項９に記載のデータ伝送装置。
【請求項１４】
前記確定ユニットは、システムアーキテクチャエボリューションゲートウェイ（ＳＡＥ−ＧＷ）から転送されたトラフィックデータメッセージを受信した場合、前記ＭＥＣサーバーは、前記トラフィックデータメッセージからターゲットＩＰアドレスを取得し、前記ターゲットＩＰアドレスに対応するネットワークエンティティを確定し、
前記処理ユニットは、前記確定ユニットがＳＡＥ−ＧＷから転送されたトラフィックデータメッセージを受信し、かつ、前記トラフィックデータメッセージ内のターゲットＩＰアドレスに対応するネットワークエンティティがローカルサービスサーバーであると確定した場合、前記確定ユニットが受信したトラフィックデータメッセージをローカルサービスサーバーに送信し、または、前記確定ユニットがＳＡＥ−ＧＷから転送されたトラフィックデータメッセージを受信し、かつ、前記トラフィックデータメッセージ内のターゲットＩＰアドレスに対応するネットワークエンティティがＵＥであると確定した場合、前記ＵＥのＩＰアドレスに基づき、トラフィックデータメッセージを前記ＵＥに伝送するためのダウンリンクベアラを確定し、前記ダウンリンクベアラにより、前記確定ユニットが受信したトラフィックデータメッセージを基地局に送信し、基地局により前記トラフィックデータメッセージを前記ＵＥに送信することを特徴とする請求項９ないし請求項１３のいずれか１項に記載のデータ伝送装置。
【請求項１５】
トラフィックデータメッセージをリモートサービスサーバーに送信する必要がある場合、本装置のＩＰアドレスをソースＩＰアドレスとし、リモートサービスサーバーのＩＰアドレスをターゲットＩＰアドレスとしてトラフィックデータメッセージに含ませ、約定したフォーマットに基づき、前記トラフィックデータメッセージのペイロードＰａｙｌｏａｄにＵＥのＩＰアドレスを追加し、新しいトラフィックデータメッセージを構成する処理ユニットと、
前記新しいトラフィックデータメッセージをモバイル・エッジ・コンピューティングＭＥＣサーバーに送信し、前記ＭＥＣサーバーにより、前記装置のＩＰアドレスに基づいて前記装置に対応するトラフィックデータメッセージ転送モードを確定し、かつ、前記装置に対応するトラフィックデータメッセージ転送モードに基づき、前記トラフィックデータメッセージ転送モードに対応する処理方式で前記トラフィックデータメッセージを処理した後に送信する送信ユニットとを備えることを特徴とするトラフィックデータ伝送装置。
【請求項１６】
前記処理ユニットは、ＭＥＣサーバーにより転送された、リモートサービスサーバーから送信されたトラフィックデータメッセージを受信し、受信したトラフィックデータメッセージを処理した後、送信すべきトラフィックデータメッセージを生成し、本装置のＩＰアドレスをソースＩＰアドレスとし、ＵＥのＩＰアドレスをターゲットＩＰアドレスとして、前記生成したトラフィックデータメッセージに含ませ、
前記送信ユニットは、前記生成した、本装置のＩＰアドレス及びＵＥのＩＰアドレスを含むトラフィックデータメッセージをＭＥＣサーバーに送信し、受信したトラフィックデータメッセージをＭＥＣサーバーによりＵＥに送信することを特徴とする請求項１５に記載のトラフィックデータ伝送装置。
【国際調査報告】
2019509682.tif 000012
2019509682.tif 000013